(57)【要約】【課題】本発明は、ルーバが簡単に取り付けられ、モータ交換といったメンテナンスが室内側からでき、換気扇本体が天井材または木枠の上側に取り付けられてもルーバが取り付けることができる換気装置を提供することを目的としている。【解決手段】底面に吸込口１とフランジ部１８、側面８に通風口２を設けた箱体に、前記箱体の内部に、上方に羽根５を回転させるモータ３を取り付けるモータ保持板４と、羽根５とモータ３を覆うケーシング６を設け、底面に樹脂製のルーバ１５を取り付けた樹脂製の換気装置本体７において、換気装置本体７のフランジ部１８に、上下スライドできるＬ字状のＬ字金具１６を取り付け、ルーバ１５の換気装置本体７側に磁石１７を取り付け、ルーバ１５を換気装置本体７の底面に装着する構成とする。【選択図】図１
2007170750.tif 000002
【特許請求の範囲】
【請求項１】
底面に吸込口とフランジ部、側面に通風口を設けた箱体に、前記箱体の内部に、上方に羽根を回転させるモータを取り付けるモータ保持板と、前記羽根と前記モータを覆うケーシングを設け、底面に樹脂製のルーバを取り付けた樹脂製の換気装置本体において、前記換気装置本体の側面に、上下スライドできるＬ字状のＬ字金具を取り付け、前記ルーバの前記換気装置本体側に磁石を取り付け、前記Ｌ字金具と前記磁石を当接させて、前記ルーバを前記換気装置本体の底面に装着する構成を特徴とする換気装置。
【請求項２】
フランジ部の底面にＬ字金具を嵌合させて、前記フランジ部と前記Ｌ字金具の底面が面一となる構成を特徴とする請求項１記載の換気装置。
【請求項３】
換気装置本体の内壁に凹部を設け、Ｌ字金具を前記凹部に沿わせて上下スライドする構成を特徴とする請求項１または２記載の換気装置。
【請求項４】
Ｌ字金具の上下方向に長穴を設け、前記Ｌ字金具の前記長穴を通して換気扇本体にねじ止めする構成を特徴とする請求項１〜３のいずれかに記載の換気装置。
【請求項５】
ルーバとケーシングとが、紐で取り付けられている構成を特徴とする請求項１記載の換気装置。
【請求項６】
ルーバと換気装置本体の内壁とが、紐で取り付けられている構成を特徴とする請求項１記載の換気装置。
【請求項７】
Ｌ字金具に、磁石を設ける構成とすることを特徴とした請求項１〜４のいずれかに記載の換気装置。
【請求項８】
換気装置本体の底面側のルーバ周囲に磁石を固定するリブを複数個設け、前記磁石を対向する１組の前記リブにて固定する構成を特徴とする請求項１または７記載の換気装置。
【請求項９】
磁石を、ルーバ周囲のすべてのリブに固定する構成を特徴とする請求項８記載の換気装置。
【発明の詳細な説明】
【技術分野】
【０００１】
本発明は、天井等に設置されて換気を行う、換気装置に設けられるルーバの取り付けに関する。
【背景技術】
【０００２】
従来、この種の換気装置としては、ルーバのフランジ部を金属にして、フランジ部に直接、磁石が備わったルーバを取り付ける換気装置が知られている（例えば、特許文献１参照）。
【０００３】
以下、その換気装置について、図１３を参照にしながら説明する。
【０００４】
図に示すように、底面に吸込口１０１を有し、側面に通風口１０２を設け、底面側にはフランジ部１０３を設けた換気装置本体１０４は、通風路の室内吸込側に設けたルーバ１０５を有し、ルーバ１０５を換気装置本体１０４に装着するために、ルーバ１０５の裏面に磁石１０６を取り付け、換気装置本体１０４の底面にルーバ１０５を取り付けていた。
【０００５】
また、この種の取り付けには、磁石を本体側に取り付けているものもある（例えば、特許文献２参照）。
【０００６】
以下、その換気装置について、図１４を参照にしながら説明する。
【０００７】
図に示すように、底面に吸込口１０７を有し、側面に通風口１０８を設け、底面側にはフランジ部１０９を設けた換気装置本体１１０は、通風路の室内吸込側に設けたルーバ１１１を有し、換気装置本体１１０の内壁に磁石１１２を設け、ルーバ１１１には換気装置本体１１０の内壁の磁石１１２に対応する位置に金属片１１３を設け、換気装置本体１１０の底面にルーバ１１１を取り付けていた。
【特許文献１】実開昭５９−１６８６４８号公報
【特許文献２】実開昭５７−３６５３０号公報
【発明の開示】
【発明が解決しようとする課題】
【０００８】
このような従来の換気装置で、特許文献１に記載されている換気装置においては、換気装置の本体のフランジ部が天井材の上側、または、木枠の上側に設置された場合、ルーバに取り付いている磁石がフランジ部に接触せず、フランジ部にルーバが取り付けられないという課題があった。
【０００９】
また、特許文献２に記載されている換気装置においては、磁石を換気装置本体の内壁に取り付けているため、モータまたは羽根の交換などメンテナンス時において室内側よりモータまたは羽等等の部品を取り外す場合、磁石が邪魔になり、モータ等が取り外ししにくいという課題があった。
【００１０】
本発明は、上記課題を解決するもので、換気装置本体が天井材または木枠の上側に取り付けられても容易にルーバを取り付けることができ、また、モータの交換といったメンテナンスが、室内側から容易にできる換気装置を提供することを目的としている。
【課題を解決するための手段】
【００１１】
上記課題を解決するために本発明の換気装置は、底面に吸込口とフランジ部、側面に通風口を設けた箱体に、前記箱体の内部に、上方に羽根を回転させるモータを取り付けるモータ保持板と、前記羽根と前記モータを覆うケーシングを設け、底面に樹脂製のルーバを取り付けた樹脂製の換気装置本体において、前記換気装置本体の側面に、上下スライドできるＬ字状のＬ字金具を取り付け、前記ルーバの前記換気装置本体側に磁石を取り付け、前記Ｌ字金具と前記磁石を当接させて、前記ルーバを前記換気装置本体の底面に装着する構成としたものである。
【００１２】
この手段により、換気装置本体が天井材または木枠の上側に取り付けられても容易にルーバを取り付けることができ、また、モータの交換といったメンテナンスが、室内側から容易にできる換気装置が得られる。
【００１３】
また、他の手段は、フランジ部の底面にＬ字金具を嵌合させて、前記フランジ部と前記Ｌ字金具の底面が面一となる構成としたものである。
【００１４】
この手段により、ルーバの磁石とＬ字の金具の位置が多少ずれても、がたつきなく安定に取り付けることができる換気装置が得られる。
【００１５】
また、他の手段は、換気装置本体の内壁に凹部を設け、Ｌ字金具を前記凹部に沿わせて上下スライドする構成としたものである。
【００１６】
この手段により、フランジ部にＬ字金具の取り付ける位置のずれを防止することができる換気装置が得られる。
【００１７】
また、他の手段は、Ｌ字金具の上下方向に長穴を設け、前記Ｌ字金具の前記長穴を通して換気扇本体にねじ止めする構成としたものである。
【００１８】
この手段により、換気装置本体の取り付け位置の上下方向に位置が変更になっても、容易に調整してルーバを取り付けることができる換気装置が得られる。
【００１９】
また、他の手段は、ルーバとケーシングとが、紐で取り付けられている構成としたものである。
【００２０】
この手段により、取り付けの不備や地震などの災害があっても、ルーバが落下するということを防止することできる換気装置が得られる。
【００２１】
また、他の手段は、ルーバと換気装置本体の内壁とが、紐で取り付けられている構成としたものである。
【００２２】
この手段により、取り付けの不備や地震などの災害、あるいは、メンテナンス中であっても、ルーバが落下するということを防止することできる換気装置が得られる。
【００２３】
また、他の手段は、Ｌ字金具に、磁石を設ける構成としたものである。
【００２４】
この手段により、ルーバの磁石の厚みを薄くでき、換気装置本体の底面とルーバの取り付け強度を増すことができる換気装置が得られる。
【００２５】
また、他の手段は、換気装置本体の底面側のルーバ周囲に磁石を固定するリブを複数個設け、前記磁石を対向する１組の前記リブにて固定する構成としたものである。
【００２６】
この手段により、磁石を入れ替えることで、ルーバの取り付け方向を容易に変更することができる換気装置が得られる。
【００２７】
また、他の手段は、磁石を、ルーバ周囲のすべてのリブに固定する構成としたしたものである。
【００２８】
この手段により、ルーバの磁石を取り替えることなく、ルーバの取り付け方向を容易に変更することができる換気装置が得られる。
【発明の効果】
【００２９】
本発明によれば、底面に吸込口とフランジ部、側面に通風口を設けた箱体に、前記箱体の内部に、上方に羽根を回転させるモータを取り付けるモータ保持板と、前記羽根と前記モータを覆うケーシングを設け、底面に樹脂製のルーバを取り付けた樹脂製の換気装置本体において、前記換気装置本体の側面に、上下スライドできるＬ字状のＬ字金具を取り付け、前記ルーバの前記換気装置本体側に磁石を取り付け、前記Ｌ字金具と前記磁石を当接させて、前記ルーバを前記換気装置本体の底面に装着する構成にすることにより、換気装置本体が天井材または木枠の上側に取り付けられても容易にルーバを取り付けることができ、また、モータの交換といったメンテナンスが、室内側から容易にできるという効果のある換気装置を提供できる。
【００３０】
また、フランジ部の底面にＬ字金具を嵌合させて、前記フランジ部と前記Ｌ字金具の底面が、面一となる構成にすることにより、ルーバの磁石とＬ字の金具の位置が多少ずれても、がたつきなく安定に取り付けることができるという効果のある換気装置を提供できる。
【００３１】
また、換気装置本体の内壁に凹部を設け、Ｌ字金具を前記凹部に沿わせて上下スライドする構成にすることにより、フランジ部にＬ字金具の取り付ける位置のずれを防止することできるという効果のある換気装置を提供できる。
【００３２】
また、Ｌ字金具の上下方向に長穴を設け、前記Ｌ字金具の前記長穴を通して換気扇本体にねじ止めする構成にすることにより、換気装置本体の取り付け位置が上下方向に変更になっても、容易に調整してルーバを取り付けることができるという効果のある換気装置を提供できる。
【００３３】
また、ルーバとケーシングとが、紐で取り付けられている構成にすることにより、取り付けの不備や地震などの災害があっても、ルーバが落下するということを防止することできるという効果のある換気装置を提供できる。
【００３４】
また、ルーバと換気装置本体の内壁とが、紐で取り付けられている構成にすることにより、取り付けの不備や地震などの災害、あるいは、メンテナンス中、特に、モータの交換または羽根の交換のみであっても、ルーバが落下するということを防止することできるという効果のある換気装置を提供できる。
【００３５】
また、Ｌ字金具に、磁石を設ける構成にすることにより、ルーバの厚みを薄くでき、換気装置本体の底面とルーバの取り付け強度を増すことができるという効果のある換気装置を提供できる。
【００３６】
また、換気装置本体の底面側のルーバ周囲に磁石を固定するリブを複数個設け、前記磁石を対向する１組の前記リブにて固定する構成にすることにより、磁石を入れ替えることで、ルーバの取り付け方向を容易に変更することができるという効果のある換気装置を提供できる。
【００３７】
また、磁石を、ルーバ周囲のすべてのリブに固定する構成にすることにより、ルーバの磁石を取り替えることなく、ルーバの取り付け方向を容易に変更することができるという効果のある換気装置を提供できる。
【発明を実施するための最良の形態】
【００３８】
請求項１記載の換気装置の発明は、底面に吸込口とフランジ部、側面に通風口を設けた箱体に、前記箱体の内部に、上方に羽根を回転させるモータを取り付けるモータ保持板と、前記羽根と前記モータを覆うケーシングを設け、底面に樹脂製のルーバを取り付けた樹脂製の換気装置本体において、前記換気装置本体の側面に、上下スライドできるＬ字状のＬ字金具を取り付け、前記ルーバの前記換気装置本体側に磁石を取り付け、前記Ｌ字金具と前記磁石を当接させて、前記ルーバを前記換気装置本体の底面に装着する構成にしたことにより、ルーバが取り付けやすくなり、室内側より換気扇本体のメンテナンスが行うことができ、また、換気扇本体の上下方向の取り付け位置が変更してもルーバが取り付けることができるという作用を有する。
【００３９】
また、本発明の請求項２記載の換気装置は、フランジ部の底面にＬ字金具を嵌合させて、前記フランジ部と前記Ｌ字金具の底面が、面一となる構成にしたことにより、ルーバの磁石とＬ字の金具の位置が多少ずれても、確実に取り付けることができるという作用を有する。
【００４０】
また、本発明の請求項３記載の換気装置は、換気装置本体の内壁に凹部を設け、Ｌ字金具を前記凹部に沿わせて上下スライドする構成にしたことにより、Ｌ時金具位置を調整する際、ガイドの役割をして、移動しやすく、また左右の位置ずれを防止できるという作用を有する。
【００４１】
また、本発明の請求項４記載の換気装置は、Ｌ字金具の上下方向に長穴を設け、前記Ｌ字金具の前記長穴を通して換気扇本体にねじ止めする構成にしたことにより、換気扇本体の取り付け位置を上下方向に位置が変わっても、ルーバが取り付けることができ、またルーバを容易に取り付けることができるという作用を有する。
【００４２】
また、本発明の請求項５に記載の換気装置は、ルーバとケーシングとが、紐で取り付けられている構成にしたことにより、取り付け不備や地震などの災害があったとしてもルーバが落下することを防止できるという作用を有する。
【００４３】
また、本発明の請求項６に記載の換気装置は、ルーバと換気装置本体の内壁とが、紐で取り付けられている構成にしたことにより、メンテナンス中、特に、モータの交換または羽根の交換のみであっても、ルーバが落下するということを防止することできるという作用を有する。
【００４４】
また、本発明の請求項７記載の換気装置は、Ｌ字金具に、磁石を設ける構成にしたことにより、ルーバの厚みを薄くでき、また、確実にルーバが取り付けるようにしたものであるという作用を有する。
【００４５】
また、本発明の請求項８に記載の換気装置は、換気装置本体の底面側のルーバ周囲に磁石を固定するリブを複数個設け、前記磁石を対向する１組の前記リブにて固定する構成にしたことにより、ルーバの取り付け方向を容易に変更することができるという作用を有する。
【００４６】
また、本発明の請求項９に記載の換気装置は、磁石を、ルーバ周囲のすべてのリブに固定する構成にしたことにより、ルーバの磁石を取り替えることなく、容易に取り付け方向を替えることができるという作用を有する。
【００４７】
以下、本発明の実施の形態について、図面を参照しながら説明する。
【００４８】
（実施の形態１）
図１〜図５に示すように、底面に吸込口１を有し、側面に通風口２を設け、上部にモータ３およびモータ保持板４、内部に羽根５、ケーシング６を収納した箱状の換気装置本体７と、通風口２に連通する本体側接続口１０およびダクト１１と連通するダクト側接続口１２を一体に設け、天井１３に設けた開口１４を覆うようにルーバ１５を設け、通風口２が設けられている側面９に接している左右の側面８に上下にスライドできるＬ字状のＬ字金具１６を設け、ルーバ１５にＬ字金具１６の短辺部に位置が合うように磁石１７を取り付ける構成としている。
【００４９】
上記構成において、換気装置を取り付ける施工は、換気装置本体７のフランジ部１８を、図１のように天井１３の上側に設置する方法や、図２のように天井１３の下側に設置する方法、また、天井１３と同一面（図示せず）に設置する方法などが行われている。その換気装置本体７の設置位置に応じて、ルーバ１５を取り付けた時に、天井との隙間がないように、Ｌ字金具１６を上下方向に調整する。磁石１７の幅はＬ字金具１６の幅と同等または同等以上になっており、ルーバ１５の位置が多少ずれても取り付けられるようになっている。また、Ｌ字金具１６の長さは、フランジ部１８が天井１３の下側にくることから、また、木枠の上側（図示なし）に取り付けられるケースまでを想定し、５０ｍｍ程度の長さが必要となる。また、磁石１７の取り付け方法は、リブを使って嵌める、または、樹脂の熱溶着、接着材、ねじ止め、いずれの取り付け方法でも良しとする。
【００５０】
そして、換気装置を運転すると、モータ３そして羽根５が駆動し、吸込口１から室内の空気が吸込まれると共に、ダクト１１を介して室外へ排出されることとなる。
【００５１】
また、モータ３の交換あるいは羽根５の交換などのメンテナンス時には、換気装置本体７にねじ止めされているモータ保持板４を外し、モータ３およびモータ保持板４、羽根５、ケーシング６をまとめて取り外す構成となっている。
【００５２】
また、図２および図３に示すように、フランジ部１８が天井１３の下側に設置される場合（このケースはＬ字金具が側面８の一番上側に取り付けられる状態）、フランジ部１８の底面に形成されている凹部２２にＬ字金具１６の短辺側が収まる形となり、フランジ部１８とＬ字金具１６の底面が面一になる構成となっている。そして、梱包時には、Ｌ字金具１６の長辺側が換気装置本体７の内部に、短辺側がフランジ部１８の底面の凹部２２に収まる状態にて出荷される。
【００５３】
また、Ｌ字金具１６は、図４に示すように、上下方向に長穴を設けており、ねじをゆるめて上下方向に移動可能な構成となっている。なお、ナットとボルトにより、固定しても同様の効果は得られる。
【００５４】
また、図５に示すように、Ｌ字金具１６を取り付ける側面８は、Ｌ字金具１６にあわせた凹部２３になっており、Ｌ字金具１６を取り付けた後、側面８の面とＬ字金具１６の面は、ほぼ面一または側面８の面より外周側に入り込む構成となっている。
【００５５】
このように本発明の実施の形態１の換気装置によれば、下面に吸込口１を有し、側面に通風口２を設け、下面側にはフランジ部１８を設けた樹脂製の換気装置本体７と、通風路の室内吸込側に設けた樹脂製のルーバ１５を有し、換気装置本体７のフランジ部１８に上下スライドできるＬ字金具１６を取り付け、ルーバ１５を換気装置本体７に装着するために、ルーバ１５の裏面に磁石１７を取り付ける構成としたので、ルーバ１５が取り付けやすく、また、室内側において換気装置本体７のモータ３および羽根５を脱着する等のメンテナンスが容易となり、また、換気装置本体７における上下方向の取り付け位置が変更になっても、ルーバ１５の取り付けが容易となる。
【００５６】
また、Ｌ字金具１６は、ルーバ１５に取り付けずに収めることができるので、梱包時のサイズを小さくでき、安価な梱包コストになり、また、Ｌ字金具１６の変形を防ぐことができる。
【００５７】
また、磁石１７の位置が、ルーバ１５の外周側に設けているので、ルーバ１５の開口面積を大きくすることができ、騒音を下げることができる。
【００５８】
また、フランジ部１８が天井１３の下側に設置される場合、Ｌ字金具１６の短辺側はフランジ部１８の底面と面一となる構成としたので、換気装置本体７に取り付けられているＬ字金具１６とルーバ１５に設けられている磁石１７とが確実に当接でき、換気装置本体７の底面にルーバ１５を安定に取り付けることができる。
【００５９】
また、側面８に凹部を設け、前記Ｌ字の金具１６を凹部に沿わせて上下スライドする構成としたので、Ｌ時の金具１６の位置を調整する際、凹部がガイドの役割をして、移動しやすく、また左右の位置ずれを防止でき、フランジ部１８との平滑度もよくなり、確実に位置ずれすることなくルーバを取り付けることができる。
【００６０】
また、Ｌ字金具１６に上下方向の長穴を設けた形とし、Ｌ字金具１６を換気装置本体７にねじ止めする構成としたので、換気装置本体７の取り付け位置が上下方向に変わっても、ルーバ１５を容易に取り付けることができる。
【００６１】
なお、Ｌ字金具１６においては、四角の筒型でフランジがついた形状、丸型の換気装置においては丸の筒型でフランジがついた形状、いずれにおいても同様の効果が得られる。
【００６２】
（実施の形態２）
図６に示すように、ルーバ１５Ａとケーシング６Ａに落下防止用の紐１９を取り付ける構成としたものである。
【００６３】
上記構成において、取り付け不備や地震が起こったときなど、ルーバ１５Ａが落下することを防止できる。
【００６４】
（実施の形態３）
図７に示すように、ルーバ１５Ａと換気装置本体７の内壁に落下防止用の紐１９を取り付ける構成としたものである。
【００６５】
上記構成において、メンテナンス中、特に、モータの交換または羽根の交換のみであっても、ルーバが落下するということを防止することできる。
【００６６】
（実施の形態４）
図８および図９に示すように、磁石１７Ａをルーバ１５Ｂだけでなく、Ｌ字金具１６Ａにも磁石２０を設ける構成としたものである。
【００６７】
上記構成において、ルーバ１５Ｂの磁石１７Ａを薄くすることができ、それにより、ルーバ１５Ｂの厚みを薄くできる。最適な形状としては、Ｌ字金具１６Ａに取り付けられた磁石２０が換気装置本体７のフランジ部１８と面一にすると、もっともルーバを薄くすることができる。
【００６８】
また、磁石を双方に設けたため、磁力が大きくなり、接着強度を増すことができ、磁石を小さくすることができる。
【００６９】
（実施の形態５）
図１０および図１１に示すように、ルーバ１５Ｃの周囲に磁石１７Ｂを固定するリブ２１を複数個設け、磁石１７Ｂを対向する１組のリブ２１にて固定したものである。
【００７０】
上記構成において、部屋のデザインにより、ルーバ１５Ｃの向きを、例えば、９０度変更したい場合、磁石１７Ｂを付け替えることにより、換気装置本体７の底面にルーバ１５Ｃの取り付け方向を９０度変更することができる。
【００７１】
（実施の形態６）
図１２に示すように、ルーバ１５Ｄの磁石１７Ｃを、ルーバ１５Ｄの周囲のすべてに取り付ける構成としたものである。
【００７２】
上記構成において、磁石の付け替えなどを行うことなく、例えば、磁石が２箇所の場合と比較して、容易にルーバ１５Ｄの取り付け位置を９０度変更することができる。
【産業上の利用可能性】
【００７３】
本発明にかかる換気装置のルーバ取り付け構造は、天井等に本体を設置し吸込口にルーバを容易に取り付けできる構造によって、空調機、送風機等に設けられているルーバの取り付けにも適応できる。
【図面の簡単な説明】
【００７４】
【図１】本発明の実施の形態１における換気装置の側面断面図
【図２】同換気装置の天井に設置した状態を示す側面断面図
【図３】同換気装置のフランジ部の底面にＬ字金具を嵌合させる側面構成図
【図４】同換気装置のＬ字金具の斜視図
【図５】同換気装置のＬ字金具の取り付け状態を示す斜視図
【図６】本発明の実施の形態２における換気装置の側面断面図
【図７】本発明の実施の形態３における換気装置の側面断面図
【図８】本発明の実施の形態４における換気装置の側面断面図
【図９】同換気装置のルーバ取り付け状態を示す側面断面図
【図１０】本発明の実施の形態５における換気装置の側面断面図
【図１１】同ルーバの斜視図
【図１２】本発明の実施の形態６におけるルーバの斜視図
【図１３】従来の換気装置の斜視図
【図１４】同別形態の側面断面図
【符号の説明】
【００７５】
２      通風口
３      モータ
４      モータ保持板
５      羽根
６      ケーシング
６Ａ    ケーシング
７      換気装置本体
８      側面
１５    ルーバ
１５Ａ  ルーバ
１５Ｂ  ルーバ
１５Ｃ  ルーバ
１５Ｄ  ルーバ
１６    Ｌ字金具
１６Ａ  Ｌ字金具
１７    磁石
１７Ａ  磁石
１７Ｂ  磁石
１７Ｃ  磁石
１８    フランジ部
１９    紐
２０    磁石
２１    リブ
【図１】
2007170750.tif 000003
【図２】
2007170750.tif 000004
【図３】
2007170750.tif 000005
【図４】
2007170750.tif 000006
【図５】
2007170750.tif 000007
【図６】
2007170750.tif 000008
【図７】
2007170750.tif 000009
【図８】
2007170750.tif 000010
【図９】
2007170750.tif 000011
【図１０】
2007170750.tif 000012
【図１１】
2007170750.tif 000013
【図１２】
2007170750.tif 000014
【図１３】
2007170750.tif 000015
【図１４】
2007170750.tif 000016